(57)【要約】      （修正有）【課題】部品点数を減らした簡易な構成の防水型コネクタにおいて、ケーブルに対する取付容易性を向上させる。【解決手段】ケーブル接続用の防水型コネクタ２，３において、ケーブルの先端部を収容保持する保持孔が形成されたハウジング１１，４１と、ケーブルと保持孔との間に一端側が挟持される筒状の弾性シール部材１２と、ケーブルが挿入される挿入孔３５を有し、ハウジングに仮留めされる仮留め位置から当該ハウジングに固定される固定位置までケーブルの軸方向に移動可能に設けられたシール保持部材１３とを備え、弾性シール部材は、シール保持部材の移動に伴い、その他端側がケーブルと挿入孔との間に挟持される構成とした。【選択図】図６
2010277955.tif 000002
【特許請求の範囲】
【請求項１】
ケーブル接続用の防水型コネクタであって、
前記ケーブルの先端部を収容保持する保持孔が形成されたハウジングと、
前記ケーブルと前記保持孔との間に一端側が挟持される筒状の弾性シール部材と、
前記ケーブルが挿入される挿入孔を有し、前記ハウジングに仮留めされる仮留め位置から当該ハウジングに固定される固定位置まで前記ケーブルの軸方向に移動可能に設けられたシール保持部材と
を備え、
前記弾性シール部材は、前記シール保持部材の移動に伴い、その他端側が前記ケーブルと前記挿入孔との間に挟持されることを特徴とする防水型コネクタ。
【請求項２】
前記弾性シール部材が、その内周側と外周側との少なくとも一方に環状凸部を有し、当該環状凸部は、前記保持孔または前記挿入孔に挟持される際に圧縮されることを特徴とする、請求項１に記載の防水型コネクタ。
【請求項３】
前記弾性シール部材が、その外周面から径方向に延設された環状部を有し、当該環状部は、前記シール保持部材の移動に伴い、前記シール保持部材と前記ハウジングとの間に挟持されることを特徴とする、請求項１または請求項２に記載の防水型コネクタ。
【請求項４】
前記シール保持部材は、前記挿入孔の内周面から突設されるとともに、前記挿入孔の軸方向に沿って延在する複数の突条部を有することを特徴とする、請求項１から請求項３のいずれかに記載の防水型コネクタ。
【請求項５】
前記突条部の頂部は、前記挿入孔の内周面からの高さが、前記シール保持部材の移動方向に至るにつれて減少していることを特徴とする、請求項４に記載の防水型コネクタ。
【請求項６】
前記シール保持部材は、前記保持孔に挿入される本体部と、当該本体部から延設された一対の被係止片とを有することを特徴とする、請求項１から請求項５のいずれかに記載の防水型コネクタ。
【請求項７】
前記ハウジングは、前記シール保持部材が前記仮留め位置にある場合に前記被係止片を係止する第１係止部と、当該シール保持部材が前記固定位置にある場合に前記被係止片を係止する第２係止部とを有することを特徴とする、請求項６に記載の防水型コネクタ。
【請求項８】
前記被係止片は、前記ハウジングに係止される被係止爪を有し、
前記第１係止部と前記第２係止部とは、それぞれ前記シール保持部材の移動方向に列置されて前記被係止爪を係止する係止孔であることを特徴とする、請求項７に記載の防水型コネクタ。
【発明の詳細な説明】
【技術分野】
【０００１】
本発明は、ケーブル接続用の防水型コネクタに関する。
【０００２】
従来、ケーブル接続に用いられるコネクタとして、コネクタのハウジングとケーブルとの間にゴム等からなる弾性部材を介在させることにより、水密性を高めた防水型コネクタが普及している。この種の防水コネクタは、ケーブル配設時の利便性を向上させる（例えば、ケーブルの長さ調節を可能にする）ために、作業者が現地でケーブルに対して取り付け可能であることが望ましい。そこで、ケーブルに対して容易に取り付け可能な防水型コネクタとして、例えば、ケーブルの先端に接続した端子を挿入装着したハウジングと、ハウジング外周とケーブル外周とにわたって装着した防水チューブと、防水チューブを外周側から締め付ける半割可能な締付カバーとを備えたものが存在する（特許文献１参照）。
【先行技術文献】
【特許文献】
【０００３】
【特許文献１】特開２００８−１３０４６２号公報
【発明の概要】
【発明が解決しようとする課題】
【０００４】
ところで、上記特許文献１に記載された防水型コネクタは、防水チューブを、半割可能な２つの締付カバーを互いに嵌合してその嵌合方向に押圧することにより、ハウジングおよびケーブル表皮に水密に密着させる構成を有する。この従来の防水型コネクタでは、半割可能な２つの締付カバーが必要となるため部品点数が多くなり製造コストが嵩むという課題があった。また、この従来の防水型コネクタでは、半割可能な２つの締付カバーを互いに嵌合させる作業が複雑であるため、作業者への負荷が大きいという課題もあった。
【０００５】
本発明は、このような従来技術の課題を鑑みて案出されたものであり、部品点数を減らした簡易な構成において、ケーブルに対する取付容易性を向上させた防水型コネクタを提供することを目的とする。
【課題を解決するための手段】
【０００６】
上記課題を解決するためになされた第１の発明は、ケーブル接続用の防水型コネクタであって、前記ケーブルの先端部を収容保持する保持孔が形成されたハウジングと、前記ケーブルと前記保持孔との間に一端側が挟持される筒状の弾性シール部材と、前記ケーブルが挿入される挿入孔を有し、前記ハウジングに仮留めされる仮留め位置から当該ハウジングに固定される固定位置まで前記ケーブルの軸方向に移動可能に設けられたシール保持部材とを備え、前記弾性シール部材は、前記シール保持部材の移動に伴い、その他端側が前記ケーブルと前記挿入孔との間に挟持される構成とする。
【０００７】
また、第２の発明として、前記弾性シール部材が、その内周側と外周側との少なくとも一方に環状凸部を有し、当該環状凸部は、前記保持孔または前記挿入孔に挟持される際に圧縮される構成とすることができる。
【０００８】
また、第３の発明として、前記弾性シール部材が、その外周面から径方向に延設された環状部を有し、当該環状部は、前記シール保持部材の移動に伴い、前記シール保持部材と前記ハウジングとの間に挟持される構成とすることができる。
【０００９】
また、第４の発明として、前記シール保持部材は、前記挿入孔の内周面から突設されるとともに、前記挿入孔の軸方向に沿って延在する複数の突条部を有する構成とすることができる。
【００１０】
また、第５の発明として、前記突条部の頂部は、前記挿入孔の内周面からの高さが、前記シール保持部材の移動方向に至るにつれて減少している構成とすることができる。
【００１１】
また、第６の発明として、前記シール保持部材は、前記保持孔に挿入される本体部と、当該本体部から延設された一対の被係止片とを有する構成とすることができる。
【００１２】
また、第７の発明として、前記ハウジングは、前記シール保持部材が前記仮留め位置にある場合に前記被係止片を係止する第１係止部と、当該シール保持部材が前記固定位置にある場合に前記被係止片を係止する第２係止部とを有する構成とすることができる。
【００１３】
また、第８の発明として、前記被係止片は、前記ハウジングに係止される被係止爪を有し、前記第１係止部と前記第２係止部とは、それぞれ前記シール保持部材の移動方向に列置されて前記被係止爪を係止する係止孔である構成とすることができる。
【発明の効果】
【００１４】
上記第１の発明によれば、防水型コネクタをケーブルに取り付ける際に、作業者は、ケーブル先端をハウジングの保持孔に挿入した後、仮留め位置にあるシール保持部材を固定位置まで移動させるだけでよく、弾性シール部材とシール保持部材とを用いた簡易な構成において、ケーブルに対する取付容易性を向上させることができるという優れた効果を奏する。
また、上記第２の発明によれば、ケーブルおよびハウジングに対する弾性シール部材の密着性が向上するため、ケーブルに対して取付容易な構造において水密性を安定的に確保することができる。
また、上記第３の発明によれば、取付容易な構造においてシール保持部材とハウジングとの間における水の侵入を効果的に防止できるため、ケーブルに対して取付容易な構造において水密性を一層向上させることができる。
また、上記第４の発明によれば、弾性シール部材がケーブルと挿入孔との間に挟持される際に、変形により余剰となった部分が突条部同士の間に生じる溝部に入り込むため、弾性シール部材の異常変形（シワ、不均等な変形、フクレ等）を効果的に防止することができる。また、挿入孔の内周面と弾性シール部材の外周面との接触面積が小さくなるため、弾性シール部材がケーブルと挿入孔との間に挟持される際の摩擦抵抗を軽減することができる。
また、上記第５の発明によれば、弾性シール部材の異常変形をより効果的に防止することができ、また、弾性シール部材がケーブルと挿入孔との間に挟持される際の摩擦抵抗をより効果的に軽減することができる。
また、上記第６の発明によれば、シール保持部材のハウジングに対する仮留めを簡易な構成により実現することができる。
また、上記第７の発明によれば、同一の被係止片を用いた簡易な構成により、シール保護部材の仮留めおよび固定を実現することができる。
また、上記第８の発明によれば、被係止爪と係止孔とを用いた簡易な構成により、シール保護部材の仮留めおよび固定を実現することができる。
【図面の簡単な説明】
【００１５】
【図１】第１実施形態に係る結合状態のコネクタアセンブリを示す斜視図
【図２】第１実施形態に係る非結合状態のコネクタアセンブリを示す斜視図
【図３】第１実施形態に係るメイルコネクタの分解斜視図
【図４】第１実施形態に係るフィメイルコネクタの分解斜視図
【図５】第１実施形態に係るケーブルに対するメイルコネクタの取り付け方法を示す部分断面図
【図６】第１実施形態に係る結合状態のコネクタアセンブリを示す断面図
【図７】第２実施形態に係る結合状態のコネクタアセンブリを示す斜視図
【図８】第２実施形態に係る非結合状態のコネクタアセンブリを示す斜視図
【図９】第２実施形態に係るメイルコネクタの分解斜視図
【図１０】第２実施形態に係るフィメイルコネクタの分解斜視図
【図１１】第２実施形態に係るシール保持部材の断面斜視図
【図１２】第２実施形態に係る結合状態のコネクタアセンブリを示す断面図
【図１３】第３実施形態に係る結合状態のコネクタアセンブリを示す斜視図
【図１４】第３実施形態に係る非結合状態のコネクタアセンブリを示す斜視図
【図１５】第３実施形態に係るメイルコネクタの分解斜視図
【図１６】第３実施形態に係るフィメイルコネクタの分解斜視図
【図１７】第３実施形態に係る仮留め状態のメイルコネクタを示す部分断面図
【図１８】第３実施形態に係る結合状態のコネクタアセンブリを示す断面図
【図１９】図１７中のA−A線断面図
【図２０】第４実施形態に係るコネクタアセンブリを示す断面図
【発明を実施するための形態】
【００１６】
＜第１実施形態＞
以下、本発明の第１実施形態に係る防水型のコネクタアセンブリについて図１〜図６を参照しながら説明する。説明にあたり、メイルコネクタおよび雄端子ならびにフィメイルコネクタおよび雌端子における「前」、「後」、「左」、「右」、「上」、「下」については、それぞれ図３および図４に示した矢印で示す方向に従うものとする。なお、図１，図２のメイルコネクタ２においては、説明の便宜上、シール保持部材１３が仮留め位置にある状態を示しているが、実際の使用時には、フィメイルコネクタ３と同様に、シール保持部材１３は固定位置にある。
【００１７】
図１，図２に示すように、防水型のコネクタアセンブリ１は、ケーブルＣ１に取り付けられるメイルコネクタ２と、ケーブルＣ２に取り付けられるフィメイルコネクタ３とから構成される。メイルコネクタ２とフィメイルコネクタ３とは互いに結合可能な形状を有しており、両者の結合により、ケーブルＣ１，Ｃ２の先端の雄端子Ｔ１と雌端子Ｔ２（図３，図４参照）とが互いに電気的に接続される。
【００１８】
メイルコネクタ２は、図３に示すように、雄端子Ｔ１が装着されたケーブルＣ１の先端部を収容保持する保持孔１０が形成された合成樹脂製のハウジング１１と、メイルコネクタ２内の防水に供される筒状の弾性シール部材１２と、この弾性シール部材１２をハウジング１１に取り付けた状態で保持する合成樹脂製のシール保持部材１３とを備える。これら各部材１１〜１３は、左右対称かつ上下対称の形状を有している。ケーブルＣ１は、中心の導体１５と、この導体１５の周囲に設けられた外部被覆１６とから構成され、その先端から露出する導体１５に雄端子Ｔ１が装着されている。
【００１９】
ハウジング１１の前側の上下部には、フィメイルコネクタ３との結合に供される係止筒部２１が形成されている。また、ハウジング１１は、後側の左右側部にシール保持部材１３の前後方向の移動をガイドするガイド溝２２を有しており、このガイド溝２２には、弾性シール部材１２の仮留めに供される上下一対の仮留爪２３，２３が突設されている。また、ハウジング１１の後側の上下外面には、弾性シール部材１２の固定に供される固定爪２４が突設されている。
【００２０】
弾性シール部材１２は、シリコーンゴム等の弾性材料からなり、ケーブルＣ１の外径に対応する径を有する挿入孔３１を有している。図５中に２点鎖線で示すように、挿入孔３１の周面には、複数の環状凸部３２ａ〜３２ｄが形成されている。また、弾性シール部材１２の前側の外周面には、環状凸部３２ｃ，３２ｄに対応する位置に環状凸部３２ｅ，３２ｆがそれぞれ形成されている。
【００２１】
シール保持部材１３は、弾性シール部材１２の後側とケーブルＣ１とが挿入される挿入孔３５が形成された筒状の本体部１３ａを有する。本体部１３ａの前側は、ハウジング１１の保持孔１０に挿入可能に設けられている。本体部１３ａの左右には、ハウジング１１のガイド溝２２に挿入されるガイド片３６が前方に向けて延設されている。ガイド片３６の上下方向の中間には溝３６ａが設けられており、当該溝３６ａの両側に位置する部位は互いに接近するように弾性変形可能である。
【００２２】
ハウジング１１に対するシール保持部材１３の仮留めは、ガイド片３６がガイド溝に挿入されるとともに、その上下に突設された仮留爪３７，３７がハウジング１１の仮留爪２３，２３に係止されることにより行われる。また、本体部１３ａの上下には係止環３８が前方に向けて延設されており、この係止環３８がハウジング１１の固定爪２４によって係止されることにより、シール保持部材１３がハウジング１１に対して固定される。
【００２３】
フィメイルコネクタ３は、図４に示すように、雌端子Ｔ２が装着されたケーブルＣ２の先端部を収容保持する保持孔４０が形成された合成樹脂製のハウジング４１を備える。ハウジング４１の前側の上下部には、メイルコネクタ２との結合に供される係止片４２が形成されている。係止片４２は、対応するメイルコネクタ２の係止筒部２１に挿入されてその先端の外向きの係止爪４３が係止筒部２１の後側の開口縁に係止され、これにより、メイルコネクタ２とフィメイルコネクタ３との結合が行われる。また、ハウジング４１は前方へ突出する挿入部４１ａを有しており、メイルコネクタ２との結合の際には、この挿入部４１ａがメイルコネクタ２の保持孔１０に連なる結合孔１１０に挿入される。
【００２４】
フィメイルコネクタ３において、弾性シール部材１２およびシール保持部材１３の機能および構成、ならびにこれらの弾性シール部材１２およびシール保持部材１３と係合するハウジング４１の後部（ガイド溝２２、仮留爪２３，２３、及び固定爪２４等を含む）の機能および構成については、上述のメイルコネクタ２の場合と同様であるため、詳細な説明を省略する。また、ケーブルＣ２は、その先端に雌端子Ｔ２が装着されることを除けば、ケーブルＣ１と同一の構成を有している。
【００２５】
上記構成のメイルコネクタ２をケーブルＣ１に装着する際には、図５（Ａ）に示すように、まず、作業者は、ハウジング１１にシール保持部材１３を取り付けて仮留め状態とした後、この仮留め状態にあるメイルコネクタ２に対し、ケーブルＣ１を矢印Ａで示す方向に挿入する。このとき、シール保持部材１３は、仮留め位置にあり、図２に示したように、ガイド片３６がガイド溝２２に挿入された状態で、ガイド片３６の仮留爪３７，３７がハウジング１１の仮留爪２３，２３に係止されている。一方、係止環３８は、図５（Ａ）に示すように、その前縁部３８ａがハウジング１１の固定爪２４の後方に位置し、固定爪２４に係止された状態にはない。また、弾性シール部材１２は、環状凸部３２ｃ〜３２ｆが形成された前側がハウジング１１の保持孔１０における拡径部１０ａに収容されているとともに、その後側の一部がシール保持部材１３の挿入孔３５に挿入されている。
【００２６】
また、このとき、弾性シール部材１２の前側は、ケーブルＣ１と保持孔１０との間に挟持された状態にあり、その環状凸部３２ｃ〜３２ｆは、ケーブルＣ１と保持孔１０との間で圧縮された状態となり、ケーブルＣ１およびハウジング１１に対する弾性シール部材１２の密着性が向上する。なお、弾性シール部材１２において、環状凸部３２ａ，３２ｂが形成された挿入孔３１の後部は、より後方へ至るにつれて徐々に拡径されており、ケーブルＣ１の挿入が容易となっている。
【００２７】
次に、作業者は、図５（Ｂ）に示すように、仮留め位置にあるシール保持部材１３をケーブルＣ１の軸方向に沿って前方の固定位置まで移動させる。このとき、シール保持部材１３の係止環３８は、弾性変形してハウジング１１の固定爪２４を乗り越え、その前縁部３８ａがハウジング１１の固定爪２４の前側で係止される。また、このとき、弾性シール部材１２は、環状凸部３２ａ，３２ｂが形成された後側が、シール保持部材１３の挿入孔３５に完全に挿入される。これにより、弾性シール部材１２の後側はケーブルＣ１と挿入孔３５との間に挟持され、メイルコネクタ２の水密性が確保された状態となる。また、弾性シール部材１２の環状凸部３２ａ，３２ｂは、弾性シール部材１２と挿入孔３１の内周面とケーブルＣ１の外周面との間で圧縮された状態となり、ケーブルＣ１およびハウジング１１に対する弾性シール部材１２の密着性が向上する。なお、弾性シール部材１２が挿入されるシール保持部材１３の挿入孔３５は、より後方へ至るにつれて徐々に縮径されており、これにより、ケーブルＣ１および挿入孔３５に対する弾性シール部材１２の密着性が高まる。
【００２８】
なお、ケーブルＣ２に対するフィメイルコネクタ３の装着も、メイルコネクタ２の場合と同様の方法で行うことができる。
【００２９】
作業者は、メイルコネクタ２およびフィメイルコネクタ３をケーブルＣ１，Ｃ２に取り付けて固定状態とした後に、図６に示すように、それらを互いに結合させる。このとき、フィメイルコネクタ３の挿入部４１ａがメイルコネクタ２の保持孔１０に挿入されるとともに、係止片４２，４２がメイルコネクタ２の係止筒部２１，２１に挿入されてその後縁に係止爪４３が係止される。また、挿入部４１ａの基端側の環状溝５１にはＯリング５２が装着され、このＯリング５２が保持孔１０の内周面と挿入部４１ａの外周面との間に挟持されることにより、メイルコネクタ２とフィメイルコネクタ３との結合部の水密性が確保される。また、メイルコネクタ２に収容保持された雄端子Ｔ１の先端がフィメイルコネクタ３に収容された雌端子Ｔ２に挿入され、ケーブルＣ１，Ｃ２が互いに電気的に接続された状態となる。
【００３０】
このように、上記メイルコネクタ２（フィメイルコネクタ３も同様）によれば、ケーブルＣ１に取り付ける際に、作業者は、ケーブルＣ１の先端をハウジング１１の保持孔１０に挿入した後、仮留め位置にあるシール保持部材１３を固定位置まで移動させるだけでよく、弾性シール部材１２とシール保持部材１３を用いた簡易な構成において、ケーブルＣ１に対する取付容易性を向上させることができる。
【００３１】
＜第２実施形態＞
次に、本発明の第２実施形態に係る防水型のコネクタアセンブリについて図７〜図１２を参照しながら説明する。なお、以下で特に言及しない限り、上述の第１実施形態と同様の構成要素については、同一の符号を付して詳細な説明を省略する。
【００３２】
この第２実施形態では、メイルコネクタ２およびフィメイルコネクタ３のハウジング１１，４１の上下部には、図７に示すように、作業者が指で容易に支持可能なように凹凸面が形成された摘み部６１が設けられている。メイルコネクタ２とフィメイルコネクタ３との結合の際には、図１２に示すように、フィメイルコネクタ３の係止片４２，４２がメイルコネクタ２の係止開口部１２１，１２１に挿入される。このとき、係止片４２，４２の先端に形成された内向きの係止爪４３が、係止開口部１２１，１２１の内壁に設けられた段部からなる係止爪１２１ａに係止される。
【００３３】
図９，図１０に示すように、シール保持部材１３の本体部１３ａの左右には、第１実施形態のガイド片３６（図３，図４参照）の代わりに、本体部１３ａの上下と同様の係止環１３８が設けられている。また、ハウジング１１，４１の後端側の左右側面には、仮留爪３７および固定爪２４が前後方向に列置されている。この場合、ハウジング１１に対するシール保持部材１３の仮留めは、ハウジング１１の仮留爪３７に係止環１３８の前縁部１３８ａを係止せることにより行われる。さらに、仮留め位置にあるシール保持部材１３をケーブルＣ１の軸方向に沿って前方の固定位置まで移動させることにより、係止環１３８の前縁部１３８ａがハウジング１１の固定爪２４によって係止され、これにより、シール保持部材１３をハウジング１１に対して固定することができる。
【００３４】
また、図１１に示すように、シール保持部材１３には、その挿入孔３５の内周面から突設されるとともに、その軸方向に沿って延在する複数の突条部６５が形成されている。複数の突条部６５は、挿入孔３５の周方向に間隔をおいて均等に配置されている。
【００３５】
弾性シール部材１２がケーブルＣ１（Ｃ２）と挿入孔３５との間に挟持される際には、その変形により余剰となった部分が突条部６５同士の間の溝部６６に入り込むため、弾性シール部材１２の異常変形（シワ、不均等な変形、フクレ等）を効果的に防止することができる。また、挿入孔３５の内周面と弾性シール部材１２の外周面との接触面積が小さくなるため、弾性シール部材１２がケーブルＣ１（Ｃ２）と挿入孔３５との間に挟持される際の摩擦抵抗を軽減することができるという利点もある。また、各突条部６５の頂部は、挿入孔３５の内周面からの高さが、より前方（すなわち、シール保持部材１３の移動方向）に至るにつれて減少している。このような構成により、弾性シール部材１２の異常変形を防止する効果、及び弾性シール部材１２の摩擦抵抗を軽減する効果がより高まる。
【００３６】
なお、図１１に示したシール保持部材１３の内周面における突条部６５の構成は、上述の第１実施形態ならびに後述する第３実施形態および第４実施形態におけるシール保持部材１３に同様に適用することが可能である。
【００３７】
＜第３実施形態＞
次に、本発明の第３実施形態に係る防水型のコネクタアセンブリについて図１３〜図１９を参照しながら説明する。なお、以下で特に言及しない限り、上述の第１実施形態または第２実施形態と同様の構成要素については、同一の符号を付して詳細な説明を省略する。
【００３８】
この第３実施形態では、メイルコネクタ２とフィメイルコネクタ３との結合の際には、図１７に示すように、係止片４２，４２の先端に形成された外向きの係止爪４３が、係止開口部１２１，１２１の端縁に設けられた内向きの係止爪１２１ａに係止される。
【００３９】
弾性シール部材１２は、図１７に示すように、その外周面から径方向に延設された環状部７１を有し、この環状部７１は、シール保持部材１３の移動に伴い、シール保持部材１３とハウジング１１（４１）との間に挟持される。このような構成により、シール保持部材１３とハウジング１１（４１）との間における水の侵入を効果的に防止できるため、水密性を向上させることが可能となる。また、環状部７１は、その外周縁が前方に屈曲しており、この屈曲部位の先端７２は、環状凸部３２ｃ〜３２ｆが形成された弾性シール部材１２の本体の前側を囲繞するように配置されている。また、屈曲部位の先端７２は、ハウジング１１（４１）の後面に設けられた環状溝７３に収容される。このような構成により、水密性をより一層向上させることが可能となる。
【００４０】
第３実施形態では、図１５，図１６に示すように、第１実施形態または第２実施形態におけるシール保持部材１３の本体部１３ａの左右に設けられたガイド片３６（図３，図４参照）や係止環１３８（図９，図１０参照）の代わりに、本体部１３ａの上下に設けられたガイド片３６，３６のみが、ハウジング１１に対するシール保持部材１３の仮留め及び固定に供される。
【００４１】
メイルコネクタ２をケーブルＣ１に装着する際には、図１８（Ａ）に示すように、まず、作業者は、ハウジング１１にシール保持部材１３を取り付けて仮留め状態とした後、この仮留め状態にあるメイルコネクタ２に対し、ケーブルＣ１を矢印Ａで示す方向に挿入する。このとき、シール保持部材１３は仮留め位置にあり、ガイド片３６が、ハウジング１１のガイド孔１２２に挿入された状態で、図１９に示すように、ガイド片３６の仮留爪３７，３７がハウジングの左右に設けられた第１係止孔８１に係止される。次に、作業者が、図１８（Ｂ）に示すように、仮留め位置にあるシール保持部材１３をケーブルＣ１の軸方向に沿って前方の固定位置まで移動させると、仮留爪３７，３７は、弾性変形して第１係止孔８１から外れて、第１係止孔８１の前方に列置された第２係止孔８２（図１８参照）に係止される。このような構成により、１つのガイド片３６（仮留爪３７，３７）を用いた簡易な構成により、ハウジング１１に対するシール保持部材１３の仮留めおよび固定を実現することができる。
【００４２】
＜第４実施形態＞
次に、本発明の第４実施形態に係る防水型のコネクタアセンブリについて図２０を参照しながら説明する。なお、以下で特に言及しない限り、上述の第１実施形態〜第３実施形態と同様の構成要素については、同一の符号を付して詳細な説明を省略する。
【００４３】
この第４実施形態では、図８に示したメイルコネクタ２およびフィメイルコネクタ３の防水端部Ｘ，Ｘが、ケーブルＣ１，Ｃ２の結合や分岐等に供されるジャンクションボックス１０１のハウジング１０２の一部として構成されている。防水端部Ｘ，Ｘの内部には、図９の場合と同様に、弾性シール部材１２が介装されている。なお、ジャンクションボックス１０２の内部構成については、図示および説明を省略するが、周知の構成を採用することができる。
【００４４】
このように、本発明に係る防水型コネクタは、必ずしも独立した部品として構成される必要はなく、メイルコネクタ２およびフィメイルコネクタ３の一方または双方が、電子機器等のハウジングにおけるケーブル接続部として構成されてもよい。また、本発明に係る防水コネクタが取り付けられるケーブルＣ１，Ｃ２の構造についても、上述のものに限らず種々の変更が可能である。
【符号の説明】
【００４５】
１  コネクタアセンブリ
２  メイルコネクタ（防水型コネクタ）
３  フィメイルコネクタ（防水型コネクタ）
１０  保持孔
１１  ハウジング
１２  弾性シール部材
１３  シール保持部材
１３ａ  本体部
２１  係止筒部
２２  ガイド溝
２３  仮留爪（第１係止部）
２４  固定爪（第２係止部）
３１  挿入孔
３２ａ〜３２ｅ  環状凸部
３５  挿入孔
３６  ガイド片（被係止片）
３７  仮留爪（被係止爪）
３８  係止環
４０  保持孔
４１  ハウジング
４２  係止片
４３  係止爪
５１  環状溝
６５  突条部
６６  溝部
７１  環状部
７３  環状溝
８１  第１係止孔（第１係止部）
８２  第２係止孔（第２係止部）
１２１  係止開口部
１２１ａ  係止爪
１２２  ガイド孔
１３８  係止環
Ｃ１，Ｃ２  ケーブル
Ｔ１  雄端子
Ｔ２  雌端子  
【図１】
2010277955.tif 000003
【図２】
2010277955.tif 000004
【図３】
2010277955.tif 000005
【図４】
2010277955.tif 000006
【図５】
2010277955.tif 000007
【図６】
2010277955.tif 000008
【図７】
2010277955.tif 000009
【図８】
2010277955.tif 000010
【図９】
2010277955.tif 000011
【図１０】
2010277955.tif 000012
【図１１】
2010277955.tif 000013
【図１２】
2010277955.tif 000014
【図１３】
2010277955.tif 000015
【図１４】
2010277955.tif 000016
【図１５】
2010277955.tif 000017
【図１６】
2010277955.tif 000018
【図１７】
2010277955.tif 000019
【図１８】
2010277955.tif 000020
【図１９】
2010277955.tif 000021
【図２０】
2010277955.tif 000022